(57)【要約】【課題】所望の画像データを容易に検索することができるＸ線ＣＴ装置及び画像表示装置を提供する。【解決手段】被検体ＰのＸ線撮影により得られた複数のボリュームデータを含む画像データを、この画像データに含まれる付帯情報を用いて分類する画像データ分類部６１と、画像データ分類部６１で分類された画像データを識別可能に表示するためのアイコンを作成するアイコン作成部６２とを備え、第２のモニタ６４にアイコン作成部６２で作成されたアイコンを画像データ分類部６１で分類されたグループに分けて表示する。【選択図】図１
2009131421.tif 000002
【特許請求の範囲】
【請求項１】
被検体のＸ線撮影によりＸ線ＣＴ装置から得られた複数のボリュームデータを含む画像データを、この画像データに含まれる付帯情報に基づいて分類する画像データ分類手段と、
前記画像データ分類手段により分類された画像データ又はボリュームデータを識別可能に表示するためのアイコンを作成するアイコン作成手段と、
前記アイコン作成手段により作成されたアイコンを、前記画像データ分類手段により分類されたグループに分けて表示する表示手段とを
備えたことを特徴とする画像表示装置。
【請求項２】
前記付帯情報には、前記画像データを生成したときのスキャン条件が含まれ、
前記画像データ分類手段は、前記画像データを前記スキャン条件に基づいて分類するようにしたことを特徴とする請求項１に記載の画像表示装置。
【請求項３】
前記付帯情報には、前記被検体の心電情報及びこの心電情報に基づく前記被検体のＸ線撮影により前記複数のボリュームデータを生成したときのスキャン条件が含まれ、
前記画像データ分類手段は、前記スキャン条件により生成された前記複数のボリュームデータを、前記心電情報に基づいて分類するようにしたことを特徴とする請求項１に記載の画像表示装置。
【請求項４】
前記画像データ分類手段は、前記複数のボリュームデータを、前記被検体の予め設定された心拍の時相に対応するボリュームデータのグループに分類するようにしたことを特徴とする請求項３に記載の画像表示装置。
【請求項５】
前記画像データ分類手段は、前記複数のボリュームデータを、前記被検体の異常心拍に対応するボリュームデータのグループ及び正常心拍に対応するボリュームデータのグループに分類するようにしたことを特徴とする請求項３に記載の画像表示装置。
【請求項６】
前記正常心拍は、前記心電情報の隣り合う各所定の位相間の時間である位相間隔が、前記被検体の平均の位相間隔の正常として許容可能な正常範囲内に入る心拍であり、
前記異常心拍は、前記正常範囲から外れる心拍であることを特徴とする請求項５に記載の画像表示装置。
【請求項７】
前記付帯情報には、造影剤が投与された前記被検体のＸ線撮影により前記複数のボリュームデータを生成したときのスキャン条件が含まれ、
前記画像データ分類手段は、前記スキャン条件により生成された前記複数のボリュームデータを、前記付帯情報に含まれる前記被検体に投与された造影剤濃度の経時変化を表す造影情報に基づき区分された時間帯のＸ線撮影により生成されたボリュームデータのグループに分類するようにしたことを特徴とする請求項１に記載の画像表示装置。
【請求項８】
前記時間帯は、前記造影情報からＸ線撮影の開始時間における造影剤の初期濃度及び最大濃度、並びにこの最大濃度おけるピーク時間を求め、次いで前記最大濃度から前記初期濃度を差し引いた差濃度の予め設定された割合を前記初期濃度に加算した非造影濃度、及びこの非造影濃度における非造影時間を求めることにより区分される前記開始時間と前記非造影時間の間の非造影時間帯、前記非造影時間と前記ピーク時間の間の動脈相時間帯、及び前記ピーク時間とＸ線撮影の終了時間の間の静脈相時間帯により構成されることを特徴とする請求項７に記載の画像表示装置。
【請求項９】
前記アイコンは、前記複数のボリュームデータを縮小したサムネイルデータにより構成され、
前記表示手段に、前記サムネイルデータを前記複数のボリュームデータを生成した順に動画像データとして１個ずつ連続して表示するようにしたことを特徴とする請求項１に記載の画像表示装置。
【請求項１０】
被検体のＸ線撮影により画像データを生成する画像データ生成手段を備えたＸ線ＣＴ装置において、
前記画像データ生成手段により生成された複数のボリュームデータを含む画像データを、この画像データに含まれる付帯情報に基づいて分類する画像データ分類手段と、
前記画像データ分類手段により分類された画像データ又はボリュームデータを識別可能に表示するためのアイコンを作成するアイコン作成手段と、
前記アイコン作成手段により作成されたアイコンを、前記画像データ分類手段により分類されたグループに分けて表示する表示手段とを
備えたことを特徴とするＸ線ＣＴ装置。
【請求項１１】
前記付帯情報には、前記画像データを生成したときのスキャン条件が含まれ、
前記画像データ分類手段は、前記画像データを前記スキャン条件に基づいて分類するようにしたことを特徴とする請求項１０に記載のＸ線ＣＴ装置。
【請求項１２】
前記付帯情報には、前記被検体の心電情報及びこの心電情報に基づく前記被検体のＸ線撮影により前記複数のボリュームデータを生成したときのスキャン条件が含まれ、
前記画像データ分類手段は、前記スキャン条件により生成された前記複数のボリュームデータを、前記心電情報に基づいて分類するようにしたことを特徴とする請求項９に記載のＸ線ＣＴ装置。
【請求項１３】
前記付帯情報には、造影剤が投与された前記被検体のＸ線撮影により前記複数のボリュームデータを生成したときのスキャン条件が含まれ、
前記画像データ分類手段は、前記スキャン条件により生成された前記複数のボリュームデータを、前記付帯情報に含まれる前記被検体に投与された造影剤濃度の経時変化を表す造影情報に基づき区分された時間帯のＸ線撮影により生成されたボリュームデータのグループに分類するようにしたことを特徴とする請求項９に記載のＸ線ＣＴ装置。
【発明の詳細な説明】
【技術分野】
【０００１】
本発明は、Ｘ線診断に用いられる画像表示装置及びＸ線ＣＴ装置に係り、特にＸ線撮影により得られた画像データを分類する画像表示装置及びＸ線ＣＴ装置に関する。
【背景技術】
【０００２】
Ｘ線ＣＴ装置は、被検体に対してＸ線撮影を行うことにより生成された画像データを提供するものであり、診断や治療等の医療行為に重要な役割を果たしている。このＸ線ＣＴ装置は、天板上に載置された被検体にＸ線を照射するＸ線発生部、被検体を透過したＸ線を検出するＸ線検出部、及びＸ線発生部及びＸ線検出部を回転可能に保持する回転フレームを備え、回転フレームの回転及び天板の移動により、様々な撮影角度からＸ線撮影を行う。Ｘ線検出部で生成された投影データを再構成処理して二次元や三次元の画像データを生成し、生成した画像データは、Ｘ線ＣＴ装置のデータ記憶部や画像表示装置に保存される。
【０００３】
そして、データ記憶部や画像表示装置に保存された複数の被検体の画像データの中から特定の被検体の画像データを読み出す場合、先ず被検体の氏名やＩＤ等の被検体情報のリストをモニタに表示させて被検体情報を選択することにより、特定の被検体の画像データを縮小したサムネイルデータのリストがモニタに表示される。次いで、モニタに表示されたサムネイルデータを検索し、所望のサムネイルデータがあれば、そのサムネイルを通常サイズの画像データに拡大して確認を行う。そして、所望の画像データでなければ検査リストに戻り、また別の検査を選択し、同様の検索作業を行うことが知られている（例えば、特許文献１参照。）。
【０００４】
ところで、Ｘ線ＣＴ装置を用いた心臓等の循環器の検査では、被検体に装着した心電計からの心電信号に基づいて、心拍に同期してスキャンする心電同期スキャンやスキャンと同時に心電情報を収集する心電同期再構成スキャンにより、設定された時相において複数の画像データを生成する。また、造影剤が投与された造影検査では、Ｘ線撮影により生成された投影データの中から、造影剤が投与されてから被検体の関心部位の造影剤濃度が上昇及び降下する時間帯における連続する複数の画像データを生成する。
【０００５】
このように、１回の検査で複数の画像データが生成される場合や、検査数の増加により複数の画像データが生成される場合、サムネイルデータの一覧を表示させて、検査に有用な画像データの選択が行われる。
【特許文献１】特開平７−１６８８４５号公報
【発明の開示】
【発明が解決しようとする課題】
【０００６】
しかしながら、同じ部位やその近傍における部位の複数時相の画像データや連続する画像データのサムネイルデータの一覧を表示させて、所望の画像データを選択しようとすると、各サムネイルデータの変化が乏しいのでサムネイルデータだけでは所望の画像データであるか否かを判断できない問題がある。
【０００７】
本発明は、上記問題点を解決するためになされたもので、所望の画像データを容易に検索することができるＸ線ＣＴ装置及び画像表示装置を提供することを目的とする。
【課題を解決するための手段】
【０００８】
上記問題を解決するために、請求項１に係る本発明の画像表示装置は、被検体のＸ線撮影によりＸ線ＣＴ装置から得られた複数のボリュームデータを含む画像データを、この画像データに含まれる付帯情報に基づいて分類する画像データ分類手段と、前記画像データ分類手段により分類された画像データ又はボリュームデータを識別可能に表示するためのアイコンを作成するアイコン作成手段と、前記アイコン作成手段により作成されたアイコンを、前記画像データ分類手段により分類されたグループに分けて表示する表示手段とを備えたことを特徴とする。
【０００９】
また、請求項１０に係る本発明のＸ線ＣＴ装置は、被検体のＸ線撮影により画像データを生成する画像データ生成手段を備えたＸ線ＣＴ装置において、前記画像データ生成手段により生成された複数のボリュームデータを含む画像データを、この画像データに含まれる付帯情報に基づいて分類する画像データ分類手段と、前記画像データ分類手段により分類された画像データ又はボリュームデータを識別可能に表示するためのアイコンを作成するアイコン作成手段と、前記アイコン作成手段により作成されたアイコンを、前記画像データ分類手段により分類されたグループに分けて表示する表示手段とを備えたことを特徴とする。
【発明の効果】
【００１０】
本発明によれば、画像データを、この画像データに含まれる付帯情報を用いて分類し、分類した画像データを識別可能に表示するためのアイコンを作成してモニタに表示することができる。これにより、所望の画像データを容易に検索することが可能となり、迅速に診断を行うことができる。
【発明を実施するための最良の形態】
【００１１】
以下、本発明の実施例を、図１乃至図１０を参照して説明する。
【実施例】
【００１２】
図１は、本発明の実施例に係るＸ線ＣＴ装置の構成を示したブロック図である。このＸ線ＣＴ装置１０は、被検体Ｐが載置される天板９と、この天板９上に載置された被検体ＰのＸ線撮影により投影データを生成する撮影部１と、この撮影部１におけるＸ線撮影に必要な電力を供給する高電圧発生部２と、天板９を撮影部１へ移動する機構部３と、被検体Ｐの心電信号を検出する心電計４とを備えている。
【００１３】
また、撮影部１で生成された投影データから画像データを生成する画像処理部５と、画像処理部５で生成された画像データの表示や分類を行う表示部６と、被検体Ｐの検査を行うための被検体Ｐを識別するＩＤや氏名等の被検体情報、Ｘ線撮影を行うためのスキャン条件等を含む検査情報の入力操作等を行なう操作部７と、上記各ユニットを統括して制御するシステム制御部８とを備えている。
【００１４】
撮影部１は、天板９上の被検体Ｐが挿入されるほぼ円筒状の開口部１４と、被検体ＰにＸ線を照射するＸ線発生部１１と、Ｘ線発生部１１からのＸ線を検出するＸ線検出器１２と、Ｘ線検出器１２からの検出信号を収集して投影データを生成するデータ収集部１３と、開口部１４の外周に配置されたＸ線発生部１１、Ｘ線検出器１２、及びデータ収集部１３を回転可能に保持するリング状の回転フレーム１５とを備えている。
【００１５】
Ｘ線発生部１１は、Ｘ線を発生するＸ線管、及びこのＸ線管からのＸ線ビームの照射範囲を設定するスリットを備えている。そして、回転フレーム１５の回転軸Ｒに体軸がほぼ一致するように開口部１４内に挿入された被検体Ｐの周囲を、回転フレーム１５の回転により回転しながら、ファン角θに設定されたＸ線を照射する。
【００１６】
ここでは、回転フレーム１５の回転軸Ｒ上にある軸をＺ軸とし、またＸ線発生部１１のＸ線管の焦点とＸ線検出器１２における検出面の中心を結ぶＺ軸に直交する軸をＸ軸とし、更にＸ軸及びＺ軸に直交する軸をＹ軸とする。
【００１７】
Ｘ線検出器１２は、例えばマルチスライス型の検出器であり、被検体Ｐの体軸方向であるスライス方向（Ｚ軸方向）に複数（Ｍ）列配置され、またスライス方向に対して垂直方向であるチャンネル方向（Ｙ軸方向）に円弧状に複数（Ｎ）行配置された複数のＸ線検出素子を有する。そして、Ｘ線発生部１１からのＸ線照射により、被検体Ｐを透過したＸ線を１列又は複数列のＮ行に亘るＸ線検出素子で検出して電気信号に変換し、変換した信号を回転フレーム１５の回転による撮影角度毎にデータ収集部１３に出力する。
【００１８】
データ収集部１３は、回転フレーム１５の回転による撮影角度毎にＸ線検出器１２から出力された各Ｘ線検出素子の信号を収集し、収集した信号を増幅し、更にデジタル信号に変換して１ビューの投影データを生成する。そして、生成した投影データを画像処理部５へ出力する。
【００１９】
高電圧発生部２は、撮影部１のＸ線発生部１１に供給する高電圧を発生する高電圧発生器２１と、高電圧発生器２１における管電流、管電圧、照射時間などのＸ線照射の制御を行なうＸ線制御部２２とを備えている。
【００２０】
機構部３は、天板９の上下方向及び撮影部１の開口部１４への挿入方向であるＺ軸方向への移動や、撮影部１における回転フレーム１５の回転を行う回転・移動機構３１と、この回転・移動機構３１を制御する機構制御部３２とを備えている。
【００２１】
心電計４は、被検体Ｐに取り付けた電極から心電信号を検出して増幅し、増幅した信号をデジタル信号に変換して心電情報を生成する。そして、生成した心電情報をシステム制御部８に出力する。システム制御部８では、心電計４から出力された心電情報を収集する。また、心電計４から出力された心電情報に基づいて、Ｘ線撮影を行うための制御を行う。
【００２２】
画像処理部５は、撮影部１のデータ収集部１３で生成された投影データを含む被検体Ｐの検査データを保存するデータ記憶部５１と、データ記憶部５１に保存された検査データを用いて画像データを生成する画像データ生成部５２とを備えている。
【００２３】
データ記憶部５１は、磁気ディスク等を備え、Ｘ線撮影を開始してから終了するまでの検査で生成された投影データ毎に、システム制御部８から供給される被検体情報、心電情報、スキャン条件等の検査情報を付加した検査データを保存する。また、画像データ生成部５２で生成された画像データを保存する。
【００２４】
画像データ生成部５２は、システム制御部８から供給される検査情報に基づいて、被検体Ｐの体軸に直交する断面への回転フレーム１５の１８０°にファン角θを加えた１回転未満の回転によるＸ線撮影（ハーフスキャン）又は１回転によるＸ線撮影（フルスキャン）で生成された複数ビューの投影データを再構成処理することにより、その断面のピクセルデータにより構成される二次元データ（２Ｄデータ）を生成する。
【００２５】
また、被検体Ｐの体軸に直交する所定間隔の複数断面へのスキャンから生成された複数ビューの投影データを再構成処理することにより、その複数断面の２Ｄデータ又はその複数断面に対応するボクセルデータにより構成される三次元データを、ボリュームデータ（３Ｄデータ）として生成する。
【００２６】
そして、生成した２Ｄデータ、３Ｄデータ等の各データにこのデータに対応する検査情報を付帯情報として付加した画像データを生成し、生成した画像データをデータ記憶部５１や表示部６に出力する。また、生成した画像データの３Ｄデータを例えばレンダリング処理して表示部６に出力する。
【００２７】
ここで、天板９を止めてスキャンする第１のスキャンにより生成された投影データから２Ｄデータを生成する。また、天板９を止めてスキャンする第２のスキャンにより生成された投影データや、天板９を移動しながらスキャンする第３のスキャンにより生成された投影データから３Ｄデータを生成する。
【００２８】
更に、被検体Ｐの心拍に同期してスキャンする心電同期スキャン又はスキャンと同時に心電情報を収集する心電同期再構成スキャンなどの心電情報に基づく心電スキャンにより生成された投影データから、設定された心拍の時相における複数の３Ｄデータ（４Ｄデータ）を生成する。
【００２９】
更にまた、被検体Ｐへの造影剤の投与に合わせてスキャンする造影スキャンにより生成された投影データから、複数の３Ｄデータ（４Ｄデータ）を生成する。また、生成した４Ｄデータから、この４Ｄデータに設定された各３Ｄデータの領域をＸ線の強度により造影剤濃度の経時変化として表した造影情報である例えば時間濃度曲線（Ｔｉｍｅ  Ｄｅｎｓｉｔｙ  Ｃｕｒｖｅ）を作成する。そして、作成した造影情報を４Ｄデータに付加する。
【００３０】
図２は、心電スキャンを行うために被検体Ｐの心拍の時相を設定する例を示した図である。システム制御部８では、心電計４からの心電情報に基づいて、隣り合うＲ波の間の時間であるＲ−Ｒ間隔から被検体Ｐの平均Ｒ−Ｒ間隔Ｔｍを求める。そして、求めた平均Ｒ−Ｒ間隔Ｔｍの起点とするＲ波を０％とし、次のＲ波を１００％として、平均Ｒ−Ｒ間隔Ｔｍに対して例えば３つの第１乃至第３の時相を設定する。この第１乃至第３の時相は、起点のＲ波からの遅延時間Ｔｄ１、Ｔｄ２，Ｔｄ３に相当する％の単位で設定される。これにより、画像データ生成部５２では、心電計４から出力されたＲ波に対して遅延時間Ｔｄ１後を第１の時相とし、この第１の時相に対応する３Ｄデータを生成することができる。また、遅延時間Ｔｄ２後を第２の時相とし、この第２の時相に対応する３Ｄデータを生成することができる。更に、遅延時間Ｔｄ３後を第３の時相とし、この第３の時相に対応する３Ｄデータを生成することができる。
【００３１】
図１の表示部６は、画像処理部５のデータ記憶部５１に保存された画像データを、この画像データに含まれる付帯情報を用いて分類する画像データ分類部６１と、画像データ分類部６１で分類された画像データを識別可能に表示するためのアイコンを作成するアイコン作成部６２と、画像処理部５の画像データ生成部５２で生成された画像データを表示する第１のモニタ６３と、アイコン作成部６２で作成されたアイコンを表示する第２のモニタ６４とを備えている。
【００３２】
画像データ分類部６１は、第２のモニタ６４の分類モード選択画面に表示される分類モードを選択する操作部７からの分類モード選択操作により、分類モードである「通常」、「心拍の異常／正常」、「１心拍」、及び「Ｔｉｍｅ」の中から選択されたいずれかのモードの入力情報に基づいて、画像処理部５のデータ記憶部５１に保存された画像データの内の予め選択された被検体情報が含まれる画像データやこの画像データに含まれる４Ｄデータを所定のグループに分類する。
【００３３】
アイコン作成部６２は、画像データ分類部６１で分類された各グループに含まれる各画像データや、画像データに含まれる４Ｄデータから分類される各３Ｄデータを識別可能に表示するためのアイコンとして、画像データに含まれる２Ｄデータや３Ｄデータを縮小したサムネイルデータを作成する。そして、作成した各アイコンを画像データ分類部６１で分類した各グループに分けて第２のモニタ６４に表示する。
【００３４】
第１のモニタ６３は、画像処理部５の画像データ生成部５２で生成された画像データを表示する。また、第２のモニタ６４は、操作部７に配置され、分類モード選択画面やアイコン作成部６２で作成された各グループに分類されたアイコンを表示する。そして、第２のモニタ６４に表示されたアイコンを指定する操作部７からの操作により、指定されたアイコンの２Ｄデータ又は３Ｄデータ等が第１のモニタ６３に表示される。なお、第２のモニタ６４の画面を第１のモニタ６３の画面の一部のエリアに表示可能に設けるようにしてもよい。
【００３５】
操作部７は、キーボード、トラックボール、ジョイスティック、マウス、各種スイッチなどを備えたインターラクティブなインターフェースであり、各種コマンド信号の入力、被検体情報やスキャン条件などの検査情報の設定、分類モードの選択などを行う。
【００３６】
システム制御部８は、ＣＰＵと記憶回路を備え、操作部７からの入力操作や設定操作により供給される検査情報等の入力情報を各情報に対応するＩＤ等に変換して一旦記憶した後、これらの入力情報に基づいて撮影部１、高電圧発生部２、機構部３、画像処理部５、及び表示部６などシステム全体の制御を行う。
【００３７】
以下、図１乃至図１０を参照して、Ｘ線ＣＴ装置１０の動作の一例を説明する。図３は、Ｘ線ＣＴ装置１０の動作を示すフローチャートである。図４は、第２のモニタ６４に表示された分類モード選択画面の一例を示す図である。図５は、第２のモニタ６４に表示された「通常」のモードにより分類されるアイコンの画面の一例を示す図である。図６は、心電スキャンにより生成された画像データに含まれる心電情報の一例を示す図である。
【００３８】
また、図７は、第２のモニタ６４に表示された「心拍の異常／正常」のモードにより分類されるアイコンの画面の一例を示す図である。図８は、第２のモニタ６４に表示された「１心拍」のモードにより分類されるアイコンの画面の一例を示す図である。図９は、造影スキャンにより生成された画像データに含まれる造影情報の一例を示す図である。図１０は、第２のモニタ６４に表示された「Ｔｉｍｅ」のモードにより分類されるアイコンの画面の一例を示す図である。
【００３９】
図３において、被検体Ｐに対して検査を行うための被検体情報や、スキャン条件等の検査情報の入力を行い、その検査により生成された例えば第１乃至第３のスキャン、図２で第１乃至第３の時相に設定された心電スキャン、及び造影スキャンにより生成された複数の画像データが画像処理部５のデータ記憶部５１に保存されている。
【００４０】
そして、Ｘ線ＣＴ装置１０の操作者が被検体Ｐの診断を行うために、データ記憶部５１に保存された画像データに含まれる被検体情報の一覧を表示させる操作が操作部７から行われると、Ｘ線ＣＴ装置１０は、動作を開始する（ステップＳ１）。
【００４１】
第２のモニタ６４に表示された被検体情報の一覧の中から被検体Ｐの被検体情報を選択する操作が行われると、図４に示すように、第２のモニタ６４の画面６４１に、分類モードである「通常」、「心拍の異常／正常」、「１心拍」、及び「Ｔｉｍｅ」により構成されるウィンドウ６４２を表示する（ステップＳ２）。
【００４２】
このウィンドウ６４２に表示された分類モードの中から１つのモードを選択する操作が行われると、表示部６の画像データ分類部６１は、被検体Ｐの被検体情報が含まれる画像データをデータ記憶部５１から読み出し、その読み出した画像データやこの画像データに含まれる４Ｄデータを、その読み出した画像データに含まれる検査情報に基づいて分類する。
【００４３】
そして、選択された分類モードが「通常」以外のモードである場合（ステップＳ３のいいえ）、ステップＳ４へ移行する。また、選択された分類モードが「通常」のモードである場合（ステップＳ３のはい）、データ記憶部５１から読み出した画像データに含まれる検査情報のスキャン条件に基づいて、読み出した画像データを第１のスキャンにより生成された画像データのグループである２Ｄグループ、第２及び第３のスキャンにより生成された画像データのグループである３Ｄグループ、及び心電スキャン及び造影スキャンにより生成された画像データのグループである４Ｄグループに分類する。
【００４４】
アイコン作成部６２は、画像データ分類部６１で分類された各２Ｄ乃至４Ｄグループのアイコンを作成し、作成したアイコンを各２Ｄ乃至４Ｄグループに分けて第２のモニタ６４に表示する（ステップＳ５）。
【００４５】
図５は、第２のモニタ６４に表示された「通常」のモードにより分類されるアイコンの画面を示した図である。この画面６４３は、分類された各グループの名称が表示されるグループ表示エリア６４４、及びグループ表示エリア６４４に表示されたグループの名称に対応するアイコンが表示されるアイコン表示エリア６４５により構成される。
【００４６】
グループ表示エリア６４４には、４Ｄグループの名称である「４Ｄ」、３Ｄグループの名称である「３Ｄ」、及び２Ｄグループの名称である「２Ｄ」が表示されている。
【００４７】
アイコン表示エリア６４５のグループ表示エリア６４４の「４Ｄ」に対応するエリアには、心電スキャンにより生成された画像データに対応するアイコン６５０及び造影スキャンにより生成された画像データに対応するアイコン６６０が表示されている。
【００４８】
アイコン６５０は、４Ｄデータに付加された心電情報の例えば最初のＲ−Ｒ間隔の第１の時相に対応する３Ｄデータのサムネイルデータにより構成される。なお、第１乃至第３の時相に対応する各３Ｄデータのサムネイルデータにより構成し、そのサムネイルデータを、第１乃至第３の時相に対応する３Ｄデータを生成した順に動画像データとして１個ずつ連続して表示することができる。
【００４９】
また、アイコン６６０は、造影スキャンにより生成された最初の３Ｄデータのサムネイルデータにより構成される。なお、造影スキャンにより生成された４Ｄデータに含まれる複数の３Ｄデータのサムネイルデータにより構成し、そのサムネイルデータを、複数の３Ｄデータを生成した順に動画像データとして１個ずつ連続して表示することができる。
【００５０】
アイコン表示エリア６４５の「３Ｄ」に対応するエリアには、第２及び第３のスキャンにより生成された画像データの例えばアイコン６７１乃至６７４が表示されている。また、「２Ｄ」に対応するエリアには、第１のスキャンにより生成された画像データの例えばアイコン６８１乃至６８３が表示されている。
【００５１】
このように、「通常」のモードを選択することにより、データ記憶部５１に保存された予め選択された被検体情報を含む画像データを、この画像データに含まれる付帯情報のスキャン条件に基づいて２Ｄグループ、３Ｄグループ、及び４Ｄグループに分類し、分類した各グループの各画像データのアイコンを各グループに分けて第２のモニタ６４に表示することができる。
【００５２】
図３におけるステップＳ３の「いいえ」の後に、選択された分類モードが「心拍の異常／正常」以外のモードである場合（ステップＳ４のいいえ）、ステップＳ６へ移行する。また、選択された分類モードが「心拍の異常／正常」のモードである場合（ステップＳ４のはい）、画像データ分類部６１は、データ記憶部５１から読み出した画像データに含まれる検査情報のスキャン条件に基づいて、読み出した画生像データを先ず２Ｄ乃至４Ｄグループに分類する。次いで、分類した４Ｄグループの心電スキャンにより生成された画像データに含まれる４Ｄデータを、このデータに付加された心電情報に基づいて、被検体Ｐの異常心拍のときのスキャンにより生成された３Ｄデータのグループである異常グループ、及び被検体Ｐの正常心拍のときのスキャンにより生成された３Ｄデータのグループである正常グループに分類する。
【００５３】
ここで、図６を参照して、心電スキャンにより生成された画像データに含まれる４Ｄデータを異常グループ及び正常グループに分類する一例を説明する。
【００５４】
図６は、心電スキャンにより生成された画像データに含まれる心電情報の一例を示した図である。この心電情報４１には、第１乃至第（ｎ＋１）のＲ波が含まれている。この第１乃至第（ｎ＋１）のＲ波の例えば隣り合うＲ波の間の時間である各第１乃至第ｎのＲ−Ｒ間隔Ｔ１乃至Ｔｎを求める。
【００５５】
そして、各第１乃至第ｎのＲ−Ｒ間隔Ｔ１乃至Ｔｎが、図２で求めた平均Ｒ−Ｒ間隔Ｔｍの正常として許容可能な正常範囲（Ｔｍ±Ｔａ）内である場合、そのＲ−Ｒ間隔における心拍を正常であると判定し、判定したＲ−Ｒ間隔の時相に対応する３Ｄデータのグループを正常グループに分類する。また、正常範囲（Ｔｍ±Ｔａ）から外れる場合、そのＲ−Ｒ間隔における心拍を異常であると判定し、判定したＲ−Ｒ間隔の時相に対応する３Ｄデータのグループを異常グループに分類する。
【００５６】
ここで、第ｋのＲ−Ｒ間隔Ｔｋ（ｎ＞ｋ＞１）が例えば正常範囲（Ｔｍ±Ｔａ）よりも長い場合、第ｋのＲ−Ｒ間隔Ｔｋの第ｋのＲ波を起点とする第１乃至第３の時相に対応する３個の３Ｄデータを異常グループに分類する。また、各第１乃至第（ｋ−１）のＲ−Ｒ間隔Ｔ１乃至Ｔ（ｋ−１）及び各第（ｋ＋１）乃至第ｎのＲ−Ｒ間隔Ｔ（ｋ＋１）乃至Ｔｎの各第１乃至第３の時相に対応する（ｎ−１）個の３Ｄデータを正常グループに分類する。
【００５７】
アイコン作成部６２は、画像データ分類部６１で分類された２Ｄグループ、３Ｄグループ、異常グループ、及び正常グループの各画像データや各３Ｄデータのアイコンを作成し、作成したアイコンを各グループに分けて第２のモニタ６４に表示する（図３のステップＳ７）。
【００５８】
図７は、第２のモニタ６４に表示された「心拍の異常／正常」のモードにより分類されるアイコンの画面を示した図である。この画面６４３ｂのグループ表示エリア６４４には、正常グループの名称である「正常」、異常グループの名称である「異常」、「３Ｄ」、及び「２Ｄ」が表示されている。
【００５９】
アイコン表示エリア６４５のグループ表示エリア６４４に表示された「異常」に対応するエリアには、図６に示した心電情報４１に基づく心電スキャンにより生成された４Ｄボリュームデータの内、異常心拍である第ｋのＲ−Ｒ間隔Ｔｋの第１乃至第３の時相に対応する３個の３ＤデータのアイコンＨｋ１乃至Ｈｋ３が表示されている。
【００６０】
また、アイコン表示エリア６４５のグループ表示エリア６４４に表示された「正常」に対応するエリアには、正常心拍である各第１乃至第ｋのＲ−Ｒ間隔Ｔ１乃至Ｔｋ及び各第（ｋ＋１）乃至第ｎのＲ−Ｒ間隔Ｔ（ｋ＋１）乃至Ｔｎの第１の時相に対応する（ｎ−１）個の３ＤデータのアイコンＨ１１乃至Ｈ（ｋ−１）１及びアイコンＨ（ｋ＋１）１乃至Ｈｎ１が表示されている。また、第２の時相に対応する（ｎ−１）個の３ＤデータのアイコンＨ１２乃至Ｈ（ｋ−１）２及びアイコンＨ（ｋ＋１）２乃至Ｈｎ２が表示される。更に第３の時相に対応する（ｎ−１）個の３ＤデータのアイコンＨ１３乃至Ｈ（ｋ−１）３及びアイコンＨ（ｋ＋１）３乃至Ｈｎ３が表示されている。
【００６１】
更に、アイコン表示エリア６４５のグループ表示エリア６４４に表示された「３Ｄ」に対応するエリアにはアイコン６７１乃至６７４が表示され、「２Ｄ」に対応するエリアにはアイコン６８１乃至６８３が表示されている。
【００６２】
このように、「心拍の異常／正常」のモードを選択することにより、データ記憶部５１に保存された予め選択された被検体情報を含む画像データを、この画像データに含まれる付帯情報のスキャン条件に基づいて２Ｄ乃至４Ｄグループに分類する。次いで、分類した４Ｄグループの心電スキャンにより生成された画像データに含まれる４Ｄデータを、このデータに付加された心電情報に基づいて異常グループ及び正常グループに分類する。そして、分類した２Ｄグループ、３Ｄグループ、異常グループ、及び正常グループの各画像データ及び各３Ｄデータのアイコンを各グループに分けて第２のモニタ６４に表示することができる。
【００６３】
図３におけるステップＳ４の「いいえ」の後に、選択された分類モードが「１心拍」のモードである場合（図３のステップＳ６のはい）、ステップＳ８へ移行する。また、選択された分類モードが「１心拍」のモードである場合（図３のステップＳ６のいいえ）、画像データ分類部６１は、データ記憶部５１から読み出した画像データに含まれる検査情報のスキャン条件に基づいて、読み出した画像データを先ず２Ｄ乃至４Ｄグループに分類する。次いで、分類した４Ｄグループの心電スキャンにより生成された画像データに含まれる４Ｄデータを、このデータに付加された心電情報に基づいて、設定された１心拍の第１乃至第３の時相に対応する３Ｄデータのグループである１心拍グループに分類する。
【００６４】
アイコン作成部６２は、画像データ分類部６１で分類された２Ｄグループ、３Ｄグループ、及び１心拍グループの各画像データや各３Ｄデータのアイコンを作成し、作成したアイコンを各グループに分けて第２のモニタ６４に表示する（図３のステップＳ８）。
【００６５】
図８は、第２のモニタ６４に表示された「１心拍」のモードにより分類されるアイコンの画面を示した図である。この画面６４３ａのグループ表示エリア６４４には、１心拍グループの名称である「１心拍」、「３Ｄ」、及び「２Ｄ」が表示されている。
【００６６】
また、アイコン表示エリア６４５のグループ表示エリア６４４に表示された「１心拍」に対応するエリアには、図５に示した心電情報４１に基づく心電スキャンにより生成された４Ｄデータの内、第１の時相に対応するｎ個の３ＤデータのアイコンＨ１１乃至Ｈｎ１、第２の時相に対応するｎ個の３ＤデータのアイコンＨ１２乃至Ｈｎ２、及び第３の時相に対応するｎ個の３ＤデータのアイコンＨ１３乃至Ｈｎ３が表示されている。
【００６７】
更に、アイコン表示エリア６４５のグループ表示エリア６４４に表示された「３Ｄ」に対応するエリアにはアイコン６７１乃至６７４が表示され、「２Ｄ」に対応するエリアにはアイコン６８１乃至６８３が表示されている。
【００６８】
なお、「１心拍」に対応するエリアには、最初の心拍に対応するアイコンＨ１１，Ｈ１２，Ｈ１３だけを表示するようにしてもよい。
【００６９】
このように、「１心拍」のモードを選択することにより、データ記憶部５１に保存された予め選択された被検体情報を含む画像データを、この画像データに含まれる付帯情報のスキャン条件に基づいて２Ｄ乃至４Ｄグループに分類する。次いで、分類した４Ｄグループの心電スキャンにより生成された画像データに含まれる４Ｄデータを、このデータに付加された心電情報に基づいて１心拍グループに分類する。そして、分類した２Ｄグループ、３Ｄグループ、及び「１心拍」の各画像データ及び各３Ｄデータのアイコンを各グループに分けて第２のモニタ６４に表示することができる。
【００７０】
図３におけるステップＳ６の「いいえ」の後に、画像データ分類部６１は、データ記憶部５１から読み出した画像データに含まれる検査情報のスキャン条件に基づいて、読み出した画像データを先ず２Ｄ乃至４Ｄグループに分類する。次いで、分類した４Ｄグループの造影スキャンにより生成された画像データに含まれる４Ｄデータを、このデータに付加された造影情報に基づいて区分される時間帯のスキャンにより生成された３Ｄデータのグループである例えば非造影グループ、動脈相グループ、及び静脈相グループに分類する。
【００７１】
ここで、図９を参照して、造影スキャンにより生成された画像データに含まれる４Ｄデータを非造影グループ、動脈相グループ、及び静脈相グループに分類する一例を説明する。
【００７２】
図９は、造影スキャンにより生成された画像データに含まれる造影情報を示した図である。この造影情報４２は、Ｘ線撮影の時間を表すＸ軸４２１及び上方ほど造影剤の濃度が高くなるＹ軸４２２上に描かれる時間濃度曲線４２３により構成される。
【００７３】
この時間変化曲線４２３から、Ｘ線撮影の開始時間Ｔ０における造影剤の初期濃度Ｃ０、造影剤の最大濃度Ｃｐ、及びこの最大濃度Ｃｐにおけるピーク時間Ｔｐを求める。次いで、最大濃度Ｃｐから初期濃度Ｃ０を差し引いた差濃度（Ｃｐ−Ｃ０）の予め設定された割合を初期濃度Ｃ０に加算した非造影濃度Ｃ１、及びこの非造影濃度Ｃ１における非造影時間Ｔ１を求め、開始時間Ｔ０と非造影時間Ｔ１の間を非造影時間帯Ｆ１、非造影時間Ｔ１とピーク時間Ｔｐの間を動脈相時間帯Ｆ２、ピーク時間ＴｐとＸ線撮影の終了時間Ｔｅの間を静脈相時間帯Ｆ３に区分する。
【００７４】
そして、造影スキャンにより生成された画像データに含まれる４Ｄデータを、非造影時間帯Ｆ１のスキャンにより生成された３Ｄデータのグループである非造影グループ、動脈相時間帯Ｆ２のスキャンにより生成された３Ｄデータのグループである動脈相グループ、及び静脈相時間帯Ｆ３のスキャンにより生成された３Ｄデータのグループである静脈相グループに分類する。
【００７５】
アイコン作成部６２は、画像データ分類部６１で分類された２Ｄグループ、３Ｄグループ、非造影グループ、動脈相グループ、及び静脈相グループの各画像データ及び各３Ｄデータのアイコンを作成し、作成したアイコンを各グループに分けて第２のモニタ６４に表示する（図３のステップＳ９）。
【００７６】
図１０は、第２のモニタ６４に表示された「Ｔｉｍｅ」のモードにより分類されるアイコンの画面を示した図である。この画面６４３ｃのグループ表示エリア６４４には、非造影グループの名称である「非造影」、動脈相グループの名称である「動脈相」、静脈相グループの名称である「静脈相」、「３Ｄ」、及び「２Ｄ」が表示されている。
【００７７】
アイコン表示エリア６４５のグループ表示エリア６４４に表示された「非造影」に対応するエリアには、図９に示した造影情報４２に基づいて、造影スキャンにより生成された４Ｄデータに含まれるｕ個の３Ｄデータの内の非造影時間帯Ｆ１のスキャンにより生成された（ｓ−１）個（ｕ＞ｓ＞１）の３ＤデータのアイコンＣＭ１乃至ＣＭ（ｓ−１）が表示されている。
【００７８】
また、アイコン表示エリア６４５のグループ表示エリア６４４に表示された「動脈相」に対応するエリアには、動脈相時間帯Ｆ２のスキャンにより生成された（ｔ−ｓ）個（ｕ＞ｔ＞ｓ）の３ＤデータのアイコンＣＭｓ乃至ＣＭ（ｔ−１）が表示されている。
【００７９】
更に、アイコン表示エリア６４５のグループ表示エリア６４４に表示された「静脈相」に対応するエリアには、静脈相時間帯Ｆ３のスキャンにより生成された（ｕ＋１−ｔ）個の３ＤデータのアイコンＣＭｔ乃至ＣＭｕが表示されている。
【００８０】
更にまた、アイコン表示エリア６４５のグループ表示エリア６４４に表示された「３Ｄ」に対応するエリアにはアイコン６７１乃至６７４が表示され、「２Ｄ」に対応するエリアにはアイコン６８１乃至６８３が表示されている。
【００８１】
このように、「Ｔｉｍｅ」のモードを選択することにより、データ記憶部５１に保存された予め選択された被検体情報を含む画像データを、この画像データに含まれる付帯情報のスキャン条件に基づいて先ず２Ｄ乃至４Ｄグループに分類する。次いで、分類した４Ｄグループの造影スキャンにより生成された画像データに含まれる４Ｄデータを、このデータに付加された造影情報に基づいて非造影グループ、動脈相グループ、及び静脈相グループに分類する。そして、分類した２Ｄグループ、３Ｄグループ、非造影グループ、動脈相グループ、及び静脈相グループの各画像データ及び各３Ｄデータのアイコンを各グループに分けて第２のモニタ６４に表示することができる。
【００８２】
図３のステップＳ５、又はステップＳ７、又はステップＳ８、又はステップＳ９の後に、第２のモニタ６４に表示されたアイコンを操作部７から指定すると、指定したアイコンの２Ｄ又は３Ｄデータが第１のモニタ６３に表示される。そして、第１のモニタ６３に表示された２Ｄデータ又は３Ｄデータの観察を終え、被検体Ｐの診断が終了し、第２のモニタ６４に表示されたアイコンを閉じる操作が操作部７から行われると、Ｘ線ＣＴ装置１０は、動作を終了する（図３のステップＳ１０）。
【００８３】
以上述べた本発明の実施例によれば、「通常」のモードを選択することにより、データ記憶部５１に保存された予め選択された被検体情報を含む画像データを、この画像データに含まれる付帯情報のスキャン条件に基づいて２Ｄ乃至４Ｄグループに分類し、分類した２Ｄ乃至４Ｄグループの各画像データのアイコンを各グループに分けて第２のモニタ６４に表示することができる。
【００８４】
また、「心拍の異常／正常」のモードを選択することにより、データ記憶部５１に保存された予め選択された被検体情報を含む画像データを、この画像データに含まれる付帯情報のスキャン条件に基づいて先ず２Ｄ乃至４Ｄグループに分類する。次いで、分類した４Ｄデータの心電スキャンにより生成された画像データに含まれる４Ｄデータを、このデータに付加された心電情報に基づいて異常グループ及び正常グループに分類する。そして、分類した２Ｄグループ、３Ｄグループ、異常グループ、及び正常グループの各画像データ及び各３Ｄデータのアイコンを各グループに分けて第２のモニタ６４に表示することができる。
【００８５】
更に、「１心拍」のモードを選択することにより、データ記憶部５１に保存された予め選択された被検体情報を含む画像データを、この画像データに含まれる付帯情報のスキャン条件に基づいて先ず２Ｄ乃至４Ｄグループに分類する。次いで、分類した４Ｄグループの心電スキャンにより生成された画像データに含まれる４Ｄデータを、このデータに付加された心電情報に基づいて１心拍グループに分類する。そして、分類した２Ｄグループ、３Ｄグループ、及び１心拍グループの各画像データ及び各３Ｄデータのアイコンを各グループに分けて第２のモニタ６４に表示することができる。
【００８６】
更にまた、「Ｔｉｍｅ」のモードを選択することにより、データ記憶部５１に保存された予め選択された被検体情報を含む画像データを、この画像データに含まれる付帯情報のスキャン条件に基づいて先ず２Ｄ乃至４Ｄグループに分類する。次いで、分類した４Ｄグループの造影スキャンにより生成された画像データに含まれる４Ｄデータを、このデータに付加された造影情報に基づいて非造影グループ、動脈相グループ、及び静脈相グループに分類する。そして、分類した２Ｄグループ、３Ｄグループ、非造影グループ、動脈相グループ、及び静脈相グループの各画像データ及び各３Ｄデータのアイコンを各グループに分けて第２のモニタ６４に表示することができる。
【００８７】
以上により、診断に必要な画像データを容易に検索でき、診断を迅速に行うことができる。
【図面の簡単な説明】
【００８８】
【図１】本発明の実施例に係るＸ線ＣＴ装置の構成を示すブロック図。
【図２】本発明の実施例に係る心電スキャンを行うために被検体の心拍の時相を設定する例を示す図。
【図３】本発明の実施例に係るＸ線ＣＴ装置の動作を示すフローチャート。
【図４】本発明の実施例に係る第２のモニタに表示される分類モード選択画面の一例を示す図。
【図５】本発明の実施例に係る第２のモニタに表示された「通常」のモードにより分類されるアイコンの画面の一例を示す図。
【図６】本発明の実施例に係る心電スキャンにより生成された画像データに含まれる心電情報の一例を示す図。
【図７】本発明の実施例に係る第２のモニタに表示された「心拍の異常／正常」のモードにより分類されるアイコンの画面の一例を示す図。
【図８】本発明の実施例に係る第２のモニタに表示された「１心拍」のモードにより分類されるアイコンの画面の一例を示す図。
【図９】本発明の実施例に係る造影スキャンにより生成された画像データに含まれる造影情報の一例を示す図。
【図１０】本発明の実施例に係る第２のモニタに表示された「Ｔｉｍｅ」のモードにより分類されるアイコンの画面の一例を示す図。
【符号の説明】
【００８９】
Ｐ  被検体
１  撮影部
２  高電圧発生部
３  機構部
４  心電計
５  画像処理部
６  表示部
７  操作部
８  システム制御部
９  天板
１０  Ｘ線ＣＴ装置
１１  Ｘ線発生部
１３  データ収集部
１４  開口部
１５  回転フレーム
２１  高電圧発生器
２２  Ｘ線制御部
３１  回転・移動機構
３２  機構制御部
５１  データ記憶部
５２  画像データ生成部
６１  画像データ分類部
６２  アイコン作成部
６３  第１のモニタ
６４  第２のモニタ
【図１】
2009131421.tif 000003
【図２】
2009131421.tif 000004
【図３】
2009131421.tif 000005
【図４】
2009131421.tif 000006
【図５】
2009131421.tif 000007
【図６】
2009131421.tif 000008
【図７】
2009131421.tif 000009
【図８】
2009131421.tif 000010
【図９】
2009131421.tif 000011
【図１０】
2009131421.tif 000012